(57)【要約】      （修正有）【課題】折り畳み及び脚の立脚状態のロックを非常に少ない部材で保持することができ安価で、折り畳み及び立脚の状態を少ない操作で行なう折り畳みテーブルを提供する。【解決手段】脚２Ａ，２Ｂの外側側面には磁石６Ａ，６Ｂと位置決めピン７Ａ１，７Ａ２、７Ｂ１，７Ｂ２が固定され、脚２Ａ，２Ｂの折り畳み側には、磁石６Ａ，６Ｂ及び位置決めピン７Ａ１，７Ａ２、７Ｂ１，７Ｂ２の方向に伸びたロックアーム１２Ａ，１２Ｂが回転自在に支承され、ロックアーム１２Ａ，１２Ｂには、脚２Ａ，２Ｂを立脚及び折り畳まれた状態において位置決めピン７Ａ１，７Ａ２、７Ｂ１，７Ｂ２に挿入されるピン穴１２ｃ，１２ｃが形成され、テーブル１の裏面にはロックアーム１２Ａ，１２Ｂの回動範囲を規制するストッパーピン１３Ａ，１３Ｂを設ける。【選択図】図１
2015126770.tif 000002
【特許請求の範囲】
【請求項１】
テーブルの裏面の内側に折り畳み可能に一体的に連結された２個の脚を備えた折り畳みテーブルにおいて、前記脚の外側側面には磁石と位置決めピンが固定され、前記脚の折り畳み側のテーブルの裏面には、前記磁石及び位置決めピンの方向に伸びたロックアームが回転自在に支承され、前記ロックアームには、前記脚を立脚及び折り畳まれた状態において前記位置決めピンに挿入されるピン穴が形成され、テーブルの裏面には前記ロックアームの回動範囲を規制するストッパーピンが設けられていることを特徴とする折り畳みテーブル。
【請求項２】
前記一方のロックアームは、前記磁石の磁力が作用しない範囲に回動可能で、前記他方のロックアームは、前記磁石の磁力が作用する範囲に回動可能に前記ストッパーピンが設けられていることを特徴とする請求項１記載の折り畳みテーブル。
【発明の詳細な説明】
【技術分野】
【０００１】
本発明は、使用時には脚を立て、不使用時には脚を折り畳んで高さを低くして容易に収納可能とする折り畳みテーブルに関する。
【背景技術】
【０００２】
従来、折り畳みテーブルとして種々の構造のものが提供されている。構造が簡単で操作が容易なものとして、例えば特許文献１が挙げられる。この構造は、脚の折り畳み動作に伴って移動する移動体と、この移動体の移動をガイドするガイド部とを備え、そのガイド部が脚を使用位置にした状態で家具本体（テーブル）を正置（立脚）した時に移動体の一部をその重力により落とし込んで保持する保持部を備えている。更に脚を使用位置に仮保持する補助キャッチ機構を備え、当該補助キャッチ機構の補助キャッチ部材に凹陥部分を設け、使用位置にある脚を凹陥部分に仮保持させるようにし、前記脚を折り畳み可能に支持すべき家具本体の一部に設けたブラケットに、前記ガイド部、前記保持部及び前記補助キャッチ機構を設けている。
【０００３】
前記ガイド部が、ブラケットに設けたガイド溝であり、保持部がそのガイド溝に設けた凹所であって、移動体が、先端を前記ガイド溝に移動可能に係わり合わせたロッドである。ブラケットと脚の間を斜交いに接続する位置にステーを設け、このステーに前記ロッドの基端を接続している。脚が、ブラケットに折り畳み可能に支持された内支柱と、この内支柱に外側から嵌合する位置にスライド可能に設けられたパイプ状の外支柱とを備え、その外支柱にステーを接続している。
【先行技術文献】
【特許文献】
【０００４】
【特許文献１】特許第４１６１０２７号（特開２００２−１６５６５９号）公報
【発明の概要】
【発明が解決しようとする課題】
【０００５】
上記従来技術は、構造が簡単で操作が容易である。しかし、この構造においても、移動体，この移動体を保持する保持部及び補助キャッチ機構を設けたブラケット，ステーを有している。更に、脚は内支柱と外支柱となっている。このように非常に多くの部材を必要とすると共に、構造が複雑であるので高価となる。また使用状態のテーブル（天板）の脚を折り畳む場合、テーブルの裏面を上方にした後に折り畳めなければならなく、多くの操作を必要とする。
【０００６】
本発明の第１の課題は、折り畳み及び脚の立脚状態のロックを非常に少ない部材で保持することができる安価な折り畳みテーブルを提供することにある。
【０００７】
本発明の第２の課題は、折り畳み及び立脚の状態を少ない操作で行なうことができる折り畳みテーブルを提供することにある。
【課題を解決するための手段】
【０００８】
上記課題を解決するための本発明の請求項１は、テーブルの裏面の内側に折り畳み可能に一体的に連結された２個の脚を備えた折り畳みテーブルにおいて、前記脚の外側側面には磁石と位置決めピンが固定され、前記脚の折り畳み側のテーブルの裏面には、前記磁石及び位置決めピンの方向に伸びたロックアームが回転自在に支承され、前記ロックアームには、前記脚を立脚及び折り畳まれた状態において前記位置決めピンに挿入されるピン穴が形成され、テーブルの裏面には前記ロックアームの回動範囲を規制するストッパーピンが設けられていることを特徴とする。
【０００９】
上記課題を解決するための本発明の請求項２は、上記請求項１において、前記一方のロックアームは、前記磁石の磁力が作用しない範囲に回動可能で、前記他方のロックアームは、前記磁石の磁力が作用する範囲に回動可能に前記ストッパーピンが設けられていることを特徴とする。
【発明の効果】
【００１０】
請求項１によると、脚に設けた磁石及び位置決めピンと、テーブルの裏面に回転自在に設けられ、磁石に吸着及び位置決めピンに挿入されるロックアームと、このロックアーム１の回動範囲を規制するストッパーピンを設けてなり、磁石及び位置決めピンとロックアーム１２Ａ，１２Ｂは、脚の立脚及び折り畳み状態の両方の状態においてロックさせることができる。このように、非常に少ない部品で脚の立脚及び折り畳み状態のロック作用を構成することができ、構造が非常に簡単であるので安価な折り畳みテーブルを提供できる。またロックアームを磁石より離れた状態に回動させて脚を折り畳むことができるので、テーブルの裏面を上方にしなく使用状態で脚を折り畳むことができる。
【００１１】
請求項２によると、一方のロックアームは、磁石の磁力が作用しない範囲に回動可能にストッパーピンが設けられ、他方のロックアームは磁石の磁力が作用する範囲に回動可能にストッパーピンが設けられている。このため、両方の手で両方のロックアームを外方に開いた後、一方のロックアの手を離し、その手で２個の脚を連結している連結部材を回動させて脚を折り畳み又は立脚させる。続いて他方のロックアームを開いている手を離すことにより、ロックアームは磁石に吸着及び位置決めピンに挿入される。即ち、少ない操作で脚を折り畳み及び立脚させてロックすることができる。
【図面の簡単な説明】
【００１２】
【図１】本発明の折り畳みテーブルの一実施の形態を示し、脚を立てた状態のテーブルの裏面図である。
【図２】図１の上面図である。
【図３】脚を折り畳んだ状態のテーブルの裏面図である。
【図４】図３の上面図である。
【発明を実施するための形態】
【００１３】
本発明の折り畳みテーブルの一実施の形態を図１及び図２により説明する。本実施の形態は、図１に示すように、テーブル１の裏面の隅部に脚２Ａ，２Ａ、２Ｂ，２Ｂが設けられている。４個の脚２Ａ，２Ａ、２Ｂ，２Ｂのロック構造は、左右（テーブル１の長辺側）が対称で、上下（テーブル１の短辺側）がほぼ対称となっている。そこで、４個の脚２Ａ，２Ａ、２Ｂ，２Ｂのロック構造は、同じ又は相当部材には同じ符号（番号）を付し、長辺側の上方の部材には符号（番号）の後にＡを付し、長辺側の下方の部材には符号（番号）の後にＢを付して説明する。
【００１４】
短辺側の脚２Ａと２Ｂは、連結板３で一体的に連結されており、内側（長辺側）に折り畳みできるように、テーブル１に固定された蝶番４Ａ，４Ｂに回転自在に支承されている。脚２Ａ，２Ｂの外側側面には磁石取付け板５Ａ，５Ｂが固定されており、磁石取付け板５Ａ，５Ｂには磁石６Ａ，６Ｂと２個の位置決めピン７Ａ１，７Ａ２、７Ｂ１，７Ｂ２が固定されている。
【００１５】
テーブル１の蝶番４Ａ，４Ｂ側（脚２Ａ，２Ｂの折り畳み側）の裏面には、ロックアーム取付け板１０Ａ，１０Ｂが固定されており、ロックアーム取付け板１０Ａ，１０Ｂには支軸１１Ａ，１１Ｂを介してロックアーム１２Ａ，１２Ｂが回転自在に支承されている。ロックアーム１２Ａ，１２Ｂは磁性体よりなり、磁石６Ａ，６Ｂ側に伸びて立ち上ったロック部１２ａが形成され、ロック部１２ａの先端には、手でロックアーム１２Ａ，１２Ｂを回動させる操作部１２ｂが外側に折り曲げて形成されている。ロック部１２ａには前記位置決めピン７Ａ１，７Ａ２、７Ｂ１，７Ｂ２が挿入される２個のピン穴１２ｃ，１２ｃと、脚２Ａ，２Ｂを折り畳んだときに位置決めピン７Ａ１，７Ａ２、７Ｂ１，７Ｂ２が挿入される２個のピン穴１２ｄ，１２ｄが形成されている。ロックアーム取付け板１０Ａ，１０Ｂには、ロックアーム１２Ａ，１２Ｂの脚２Ａ，２Ｂからの開き（回動）角度を決めるストッパーピン１３Ａ，１３Ｂが固定されている。ここで、ロックアーム１２Ａは、ロックアーム１２Ｂより大きく開き、手を離した時、ロックアーム１２Ａに磁石６Ａの磁力が作用しないようになっている。ロックアーム１２Ｂは、開いた状態より手を離すと、磁石６Ｂに吸着されるようになっている。
【００１６】
なお、上記実施の形態は、脚２Ａ，２Ｂをテーブル１に固定された蝶番４Ａ，４Ｂに回転自在に支承した。しかし、この構造に限定されるものではなく、テーブル１に固定された軸受に回転自在に支承された回転軸に脚２Ａ，２Ｂを固定してもよい。
【００１７】
次に作用について説明する。まず、図１及び図２に示すように、脚２Ａ，２Ｂを立脚させた使用状態より図３及び図４に示すように脚２Ａ，２Ｂを折り畳む場合について説明する。脚２Ａ，２Ｂが使用位置にあるままでの状態で、ロックアーム１２Ａ，１２Ｂの操作部１２ｂ，１２ｂを両方の手で外方に開く。これにより、ロックアーム１２Ａ，１２Ｂは図１に２点鎖線で示すように支軸１１Ａ，１１Ｂを中心として回動し、磁石６Ａ，６Ｂ及び位置決めピン７Ａ１，７Ａ２、７Ｂ１，７Ｂ２より離れ、ロックアーム１２Ａ，１２Ｂのロックが解除される。この場合、ロックアーム１２Ａには磁石６Ａの磁力が作用しないので、手を離して問題ない。しかし、ロックアーム１２Ｂには磁石６Ｂの磁力が作用する。そこで、ロックアーム１２Ａを押した手は離し、ロックアーム１２Ｂを押した手はそのままで、ロックアーム１２Ａを離した手で連結板３を内側に押し倒す。これにより、脚２Ａ，２Ｂは蝶番４Ａ，４Ｂを支軸としてテーブル１の内側に折り畳まれる。そして、ロックアーム１２Ｂを開いた手を離すと、ロックアーム１２Ｂは磁石６Ｂに吸着され、ロックアーム１２Ｂのピン穴１２ｄ，１２ｄが位置決めピン７Ｂ１，７Ｂ２に挿入されて脚２Ｂはロックされる。
【００１８】
脚２Ａと２Ｂは連結板３で連結されているので、脚２Ａも不動の状態となる。この状態でもよいがより確実に脚２Ａ，２Ｂをロックさせるには、ロックアーム１２Ａを手で内側に押して磁石６Ａに吸着させ、ロックアーム１２Ａのピン穴１２ｄ，１２ｄを位置決めピン７Ａ１，７Ａ２に挿入させると、更に確実に脚２Ａ，２Ｂは折り畳んだ状態にロックされる。
【００１９】
このように、本実施の形態においては、テーブル１の使用状態で脚２Ａ，２Ｂを折り畳むことができるので、脚２Ａ，２Ｂの折り畳みを簡単に迅速に行なうことができる。勿論、テーブル１の裏面を上方側にして上記した操作を行って脚２Ａ，２Ｂを折り畳んでよいことは言うまでもない。
【００２０】
なお、本実施の形態においては、ロックアーム１２Ｂは磁石６Ｂが作用する範囲に開くようにストッパーピン１３Ｂを設けたが、ロックアーム１２Ａと同様に磁石６Ａが作用しない範囲に開くようにストッパーピン１３Ｂを設けてもよい。この場合には、両方の手でロックアーム１２Ａ，１２Ｂを外側に開いた後、連結板３を内側に押して脚２Ａ，２Ｂを折り畳む。このままでは折り畳んだ状態がロックされないので、少なくとも一方のロックアーム１２Ａ又は１２Ｂを内側に回動させてロックアーム１２Ａ又は１２Ｂを磁石６Ａ又は６Ｂに吸着させ、ロックアーム１２Ａ又は１２Ｂのピン穴１２ｄ，１２ｄを位置決めピン７Ａ１，７Ａ２又は７Ｂ１，７Ｂ２に挿入させる必要があり、操作動作が１回多くなり、またロック忘れが生じる恐れがあるが、従来技術より構造簡単で安価な製品が提供できるという特徴はある。
【００２１】
次に折り畳まれた脚２Ａ，２Ｂを立脚させて使用状態にする場合について説明する。図３及び図４に示すように、脚２Ａ，２Ｂが折り畳まれたテーブル１を上方にしてロックアーム１２Ａ，１２Ｂの操作部１２ｂ，１２ｂを両方の手で外方に開く。これにより、ロックアーム１２Ａ，１２Ｂは図３に２点鎖線で示すように支軸１１Ａ，１１Ｂを中心として回動し、磁石６Ａ，６Ｂ及び位置決めピン７Ａ１，７Ａ２、７Ｂ１，７Ｂ２より離れ、ロックアーム１２Ａ，１２Ｂのロックが解除される。この場合、ロックアーム１２Ａには磁石６Ａの磁力が作用しないので、手を離して問題ない。しかし、ロックアーム１２Ｂには磁石６Ｂの磁力が作用する。そこで、ロックアーム１２Ａを押した手は離し、ロックアーム１２Ｂを押した手はそのままで、ロックアーム１２Ａを離した手で連結板３を外側に回す。これにより、脚２Ａ，２Ｂは蝶番４Ａ，４Ｂを支軸としてテーブル１の裏面に立脚される。そして、ロックアーム１２Ｂを開いた手を離すと、ロックアーム１２Ｂは磁石６Ｂに吸着され、ロックアーム１２Ｂのピン穴１２ｄ，１２ｄが位置決めピン７Ｂ１，７Ｂ２に挿入されて脚２Ｂはロックされる。
【００２２】
脚２Ａと２Ｂは連結板３で連結されているので、脚２Ａも不動の状態となる。この状態でもよいがより確実に脚２Ａ，２Ｂをロックさせるには、ロックアーム１２Ａを手で内側に押して磁石６Ａに吸着させ、ロックアーム１２Ａのピン穴１２ｄ，１２ｄを位置決めピン７Ａ１，７Ａ２に挿入させると、更に確実に脚２Ａ，２Ｂは立脚した状態にロックされる。
【００２３】
本実施の形態は、脚２Ａ，２Ｂに設けた磁石６Ａ，６Ｂ及び位置決めピン７Ａ１，７Ａ２、７Ｂ１，７Ｂ２と、テーブル１の裏面に回転自在に設けられ、磁石６Ａ，６Ｂに吸着及び位置決めピン７Ａ１，７Ａ２、７Ｂ１，７Ｂ２に挿入されるロックアーム１２Ａ，１２Ｂと、このロックアーム１２Ａ，１２Ｂの回動範囲を規制するストッパーピン１３Ａ，１３Ｂを設けてなり、磁石６Ａ，６Ｂ及び位置決めピン７Ａ１，７Ａ２、７Ｂ１，７Ｂ２とロックアーム１２Ａ，１２Ｂは、脚２Ａ，２Ｂの立脚及び折り畳み状態の両方の状態においてロックさせることができる。このように、非常に少ない部品で脚２Ａ，２Ｂの立脚及び折り畳み状態のロック作用を構成することができ、構造が非常に簡単であるので安価な折り畳みテーブルを提供できる。
【００２４】
また本実施の形態は、ロックアーム１２Ａ，１２Ｂを磁石６Ａ，６Ｂより離れた状態に回動させて脚２Ａ，２Ｂを折り畳むことができるので、テーブル１の裏面を上方にしなく使用状態で脚２Ａ，２Ｂを折り畳むことができる。
【００２５】
またロックアーム１２Ａは、磁石６Ａ，６Ｂの磁力が作用しない範囲に回動可能にストッパーピン１３Ａが設けられ、ロックアーム１２Ｂは磁石６Ｂの磁力が作用する範囲に回動可能にストッパーピン１３Ｂが設けられている。このため、両方の手でロックアーム１２Ａ，１２Ｂを外方に開いた後、ロックアーム１２Ａの手を離し、その手で連結板３を回動させて脚２Ａ，２Ｂを折り畳み又は立脚させる。続いてロックアーム１２Ｂを開いている手を離すことにより、ロックアーム１２Ｂは磁石６Ｂに吸着及び位置決めピン７Ｂ１，７Ｂ２に挿入される。即ち、少ない操作で脚２Ａ，２Ｂを折り畳み及び立脚させてロックすることができる。
【符号の説明】
【００２６】
１    テーブル
２Ａ，２Ｂ    脚
３    連結板
４Ａ，４Ｂ    蝶番
６Ａ，６Ｂ    磁石
７Ａ１，７Ａ２、７Ｂ１，７Ｂ２    位置決めピン
１１Ａ，１１Ｂ    支軸
１２Ａ，１２Ｂ    ロックアーム
１３Ａ，１３Ｂ    ストッパーピン
【図１】
2015126770.tif 000003
【図２】
2015126770.tif 000004
【図３】
2015126770.tif 000005
【図４】
2015126770.tif 000006